(57)【要約】      （修正有）【課題】製造コストを削減できると共に、設置の作業性の良いゴルフ場用表示具を提供する。【解決手段】ゴルフ場に関する情報を示す表示手段３と、ゴルフホールを形成する治具により地面に設けられた穴内で係止可能な係止部５ｂを備える表示具本体５と、を有する。また、ゴルフホールを形成する治具によりゴルフ場用表示具１を設置する位置に穴を設ける工程と、ゴルフ場用表示具１を前記穴内に係止させる工程と、を有する。係止部５ｂは、穴の内周面に当接可能な表示具本体５の側壁、及び／又は、穴の内部に充填される充填部材９に対して埋め込み可能なリブである。【選択図】図２
0003144400.tif 000002
【実用新案登録請求の範囲】
【請求項１】
ゴルフ場に関する情報を示す表示手段と、
ゴルフホールを形成する治具により地面に設けられた穴内で係止可能な係止部を備える表示具本体と、を有すること
を特徴とするゴルフ場用表示具。
【請求項２】
前記係止部は、前記表示具本体のいずれか２点以上の部位からなり、前記穴の内周面に当接可能な構成としたことを特徴とする請求項１に記載のゴルフ場用表示具。
【請求項３】
前記係止部は、前記穴の内周面に当接可能な前記表示具本体の側壁であり、前記表示具本体の長手方向に直交する方向の断面寸法は、前記穴の軸方向に直交する方向の断面寸法と、同等以上に設定されることを特徴とする請求項１に記載のゴルフ場用表示具。
【請求項４】
前記係止部は、前記穴の内部に充填される充填部材に対して埋め込み可能なリブであることを特徴とする請求項１乃至請求項３のうち、いずれか１に記載のゴルフ場用表示具。
【請求項５】
前記表示手段は、前記情報が記載された板状部材と、前記板部材が固定される一端部と前記表示具本体に連結される他端部とを有する支柱と、を有することを特徴とする請求項１乃至請求項４のうち、いずれか１に記載のゴルフ場用表示具。
【請求項６】
前記表示具本体は、前記表示具本体の上面から延びるフランジを有し、前記フランジの外形寸法は、前記穴の内形寸法より大きいことを特徴とする請求項１乃至請求項５のうち、いずれか１に記載のゴルフ場用表示具。
【請求項７】
前記表示具本体は、前記穴の軸方向に対して傾斜する方向に延在する上面を有し、前記表示手段が前記上面に設けられていることを特徴とする請求項１乃至請求項６のうち、いずれか１に記載のゴルフ場用表示具。
【請求項８】
前記ゴルフ場用表示具は、樹脂による一体成型品であることを特徴とする請求項１乃至請求項７のいずれかに記載のゴルフ場用表示具。
【考案の詳細な説明】
【技術分野】
【０００１】
本考案は、主としてゴルフ場に設置され、ゴルフ場を利用する人々に種々の情報を提供するゴルフ場用表示具に関する。
【背景技術】
【０００２】
従来より、ゴルフ場では、ゴルフコースの地面に設置されて、ゴルフ場利用者に対して、ゴルフコースに関する情報を示すゴルフ場用表示具が利用されている。ゴルフ場用表示具で一般的なものとして、例えば、グリーンまでの距離を示す距離表示標識が挙げられる。
【０００３】
図９は、従来の距離表示標識９０１の一例を示す斜視図である。距離表示標識９０１は、木製の矩形の表示板９０３と、表示板９０３が固定される一端部と先細りの先端部９０５ａとを有する木製の支柱９０５と、を備えており、表示板９０３には、表示距離（例えば、図９中の「２００ｙ」は２００ヤードを示す）が記載されている（特許文献１）。
【０００４】
この距離表示標識９０１をゴルフコースの所定の位置に設置する際には、その設置位置において支柱９０５を垂直に立たせた状態で、木槌等のような特殊な道具により、支柱９０５の頭部をたたき、先端部９０５ａを地中に打ち込む設置作業が必要である。
【０００５】
【特許文献１】特開２００６−１９２０１２号公報
【考案の開示】
【考案が解決しようとする課題】
【０００６】
しかしながら、従来の距離標示標識等のゴルフ場用表示具によると、そのゴルフ場用表示具を地面に対して垂直に木槌で打ち付ける設置作業が重労働となり、また、一旦設置されたゴルフ場用表示具を移動するために地面から引き抜く作業も困難であり、設置作業性が良くないものであった。
【０００７】
さらに、従来の距離標示標識等のゴルフ場用表示具は、比較的大型で重いものが多く、材料コストが大きいものであった上に、一度に多くのゴルフ場用表示具を各設置位置へ持ち運ぶことも困難であった。さらに、そのような従来の大型のゴルフ場用表示具を設置するには、ある作業者が人力でゴルフ場用表示具を垂直に立てて支えつつ、他の人が木槌でゴルフ場用表示具の頭部をたたき打ち込む必要があったが、そのために、ゴルフ場用表示具を支える者と木槌で打ち付ける者とが必要となり、設置作業のために必要な人員が複数とならざるを得ないものであった。
【０００８】
そこで、本考案は、製造コストを削減できると共に、設置の作業性の良いゴルフ場用表示具を提供することを目的とする。
【課題を解決するための手段】
【０００９】
上記課題を解決するための本考案のゴルフ場用表示具は、ゴルフコースに関する情報を示す表示手段と、ゴルフホールを形成する治具により地面に設けられた穴内で係止可能な係止部を備える表示具本体と、を有することを特徴とする。
【００１０】
また、本考案のゴルフ場用表示具の前記係止部の前記係止部は、前記表示具本体のいずれか２点以上の部位からなり、前記穴の内周面に当接可能な構成としたことを特徴とする。
【００１１】
また、本考案のゴルフ場用表示具の前記係止部は、前記穴の内周面に当接可能な前記表示具本体の側壁であり、前記表示具本体の長手方向に直交する方向の断面寸法は、前記穴の軸方向に直交する方向の断面寸法と、同等以上に設定されることを特徴とする。
【００１２】
また、本考案のゴルフ場用表示具の前記係止部は、前記穴の内部に充填される充填部材に対して埋め込み可能なリブであることを特徴とする。
【００１３】
また、本考案のゴルフ場用表示具の前記表示手段は、前記情報が記載された板状部材と、前記板部材が固定される一端部と前記表示具本体に連結される他端部とを有する支柱と、を有することを特徴とする。
【００１４】
また、本考案のゴルフ場用表示具の前記表示具本体は、前記表示具本体の上面から延びるフランジを有し、前記フランジの外形寸法は、前記穴の内形寸法より大きいことを特徴とする。
【００１５】
また、本考案のゴルフ場用表示具の前記表示具本体は、前記穴の軸方向に対して傾斜する方向に延在する上面を有し、前記表示手段が前記上面に設けられていることを特徴とする。
【００１６】
また、本考案のゴルフ場用表示具は、樹脂による一体成型品であることを特徴とする。
【００１７】
なお、本考案においてゴルフ場とは、実際に競技を行うためのゴルフ場のみならず、練習を行うためのゴルフ場（いわゆるゴルフ練習場）も含むものである。
【考案の効果】
【００１８】
本考案によれば、ゴルフ場に常備されているゴルフホール（グリーンのカップ）を形成するための治具（いわゆるホールカッター）を用いて穴を設け、その穴に係止されるゴルフ場用表示具であるので、設置作業が非常に容易なものとなり、木槌等の設置のためのみに用いられる特別の道具を必要としない。また、本考案によれば、従来のように木槌で打ちつける必要がないため、ゴルフ場用表示具に対する破壊的な衝撃が加えることがないため好適である。
【考案を実施するための最良の形態】
【００１９】
［第１実施形態］
以下、本考案によるゴルフ場用表示具の第１実施形態について、図面を参照しつつ説明する。図１は、第１実施形態に係るゴルフ場用表示具１の斜視図、図２は、図１のゴルフ場用表示具１がゴルフ場の地面１３に配置された状態を示す図、図３は、図１のゴルフ場用表示具１の底面図、図４は、図３のＩＶ−ＩＶ線に沿った断面図である。
【００２０】
図１、図２及び図４に示すように、第１実施形態のゴルフ場用表示具１は、一端が開口し略有天円筒形状である表示具本体５と、表示具本体５の上面５ａに設けられ、文字、記号、図形、絵、模様等を示すことが可能な表示体３（表示手段）と、を備える。略有天円筒形状である表示具本体５の側壁５ｂは、後述のように、ゴルフホールを形成する治具（ホールカッター）により予め地面に形成された穴内に係止可能な係止部として機能する。
【００２１】
表示体３は、上面５ａ上で一列に配置された表示体構成部材３ａ〜３ｄから構成されるもので、本実施形態の表示体３は、一例として、グリーンまでの残りの距離が２００ｙ（ヤード）であることを示す表示となっている。この表示体３は、ゴルフ場の利用者が適当なクラブを選択するための一助となる。なお、表示体３による表示内容は、距離の他にも、ゴルフコースのホール数等、ゴルフ場の利用者への指示や案内のように、ゴルフ場に関する情報であればよい。
【００２２】
なお、本実施形態では、図４に示すように、表示体構成部材３ａ〜３ｄが、表示具本体５と同材料で一体的に成型されているが、材料の同異は問わず、また別体として作成して上面５ａに接着剤等により固定する構成としたり、シールを貼付する構成としたりしてもよく、その表示方法は特に限定されるものではない。
【００２３】
また、表示具本体５及び表示体３は、ゴルフ場用表示具１が、カートの走行や天候の影響を受ける屋外で使用されることを考慮して、変形、変色、劣化等を起こしにくい耐候性のある樹脂（例えばポリカーボネート、ポリエチレン、ポリプロピレン等）によって作製されることが好ましい。また、これによって、軽量化が図られ、設置位置まで一度に多くのものを持ち運ぶことが容易となる。さらに、樹脂による一体成型品として制作することで、製造コストの削減を図ることも可能となる。また、視認性を向上させるために、遠くの位置からでも目立ちやすい色（例えば、青、黄、白等）で制作するのが好適である。
【００２４】
図２に示されるように、表示具本体５は、ゴルフ場の地面１３に開けられた穴７内に配置して使用される。穴７は、ゴルフホールを形成するためのホールカッター等の治具により、予め地面１３の所定位置に設けたものである。表示具本体５の側壁５ｂの外径は、地面１３に開けられた穴７の内周面７ｂの内径にほぼ等しく寸法付けてある。すなわち、表示具本体５の長手方向（軸方向）に直交する方向の断面寸法と、穴７の軸方向に直交する断面寸法とが、ほぼ等しい。一般的に、ゴルフホールの直径は４．２５インチ（約１０８ｍｍ）と定められており、ホールカッター等の治具もこのサイズの穴を形成することできるように設計されているため、本考案のゴルフ場用表示具１においても、表示具本体５の側壁５ｂの外径を、４．２５インチ（約１０８ｍｍ）とするか、側壁５ｂと内周面７ｂとの当接を強固なものとするために４．２５インチ（約１０８ｍｍ）よりも若干大きく設定するのが好適である。
【００２５】
従って、表示具本体５が穴７内に配置されると、側壁５ｂと内周面７ｂとが当接することにより、ゴルフ場用表示具１の半径方向の移動を規制し位置決めを行うことができる。本実施形態では、係止部としての側壁５ｂは、略有天円筒形状の表示具本体５の外周面をもって構成したものを説明したが、本考案は必ずしもこのような構成に限定されず、例えば、略円筒形状としつつも軸方向に複数の又状に分かれている形状とするなど、表示具本体５のいずれか２点以上の部位が、穴７の内周面に当接するもの、さらには直径方向に力（穴７の内周面を外側へ押圧する力乃至突っ張る力）が働くように構成されているものであってもよい。また、穴７の内部には、充填部材として砂９を充填する。砂９は、その上に配置される表示具１の上面５ａが穴７の外部へ露出するような高さとなるように充填される。なお、本実施形態においては、表示体５の上面５ａの軸方向断面を緩い円弧形状としたが、その形状は適宜変更できることは言うまでもない。
【００２６】
このように、本考案は、ホールカッター等の治具により、予め地面１３に形成された穴７に対して、ゴルフ場用表示具１を押し込み、表示具本体５の側壁５ｂ（係止部）と、穴７の内周面７ｂとが当接することにより設置されるものであるが、本実施形態においては、さらに好ましい構成として、図３に示されるように、表示具本体５の下面５ｃ（穴７の底部７ａに面する裏面）に、底面視において十字状のリブ１１が設けられている。このリブ１１は、一例として、表示具本体５の側壁５ｂのある一点から直径方向に対向する他点まで伸びる第１リブ１１ａと、第１リブ１１ａに直交して側壁５ｂの直径方向に離間する２点間を延びる第２リブ１１ｂと、から構成される。側壁５ｂから第１リブ１１ａと第２リブ１１ｂとが交差する部分に向かい、両リブ１１ａ、１１ｂの長さ（表示具本体５の軸方向に関する長さ）が漸増し、第１及び第２リブ１１ａ、１１ｂが交差する部分では、リブ１１が表示具本体１１から突出する構成となっている。
【００２７】
上記構成のリブ１１は、図２に示す穴７内の砂９内に埋め込むことで、第１係止部としての表示具本体５の側壁５ｂとは別に、第２係止部として機能し、ゴルフ場用表示具１自体の抜けや穴７内での回転を防止でき、位置決めを確実に行うことができる。また、砂９内に埋め込むという簡易な方法で固定可能であるので、従来のように木槌でゴルフ場用表示具の頭部を打ち込むという設置作業の手間が伴わず、設置作業が簡単化される。なお、リブは、ゴルフホールを形成する治具（ホールカッター１５）により予め地面１３に設けられた穴７内で砂９の中に埋め込まれるものであれば良く、形状、数等は適宜変更できる。本実施形態においては、表示具本体５の側壁５ｂを第１係止部とし、リブ１１を第２係止部として説明したが、少なくともいずれか一方が備えられていればよい。さらに、充填部材は、本実施形態においては砂として説明したが、必ずしもこれに限定されず、例えば土であってもよく、充填部材に係合するリブの移動を妨げることができる材料であればよい。
【００２８】
次に、ゴルフ場用表示具１の設置方法について説明する。図５（ａ）〜（ｃ）は、ゴルフ場用表示具１の設置作業の工程を示す部分断面図である。
【００２９】
まず、図５（ａ）に示すように、ゴルフ場の地面１３の所定位置（例えば、グリーンからの距離が２００ヤードの位置にあるフェアウェイの両サイドなど）に、ゴルフホールを開けるためのホールカッター１５により、適当な深さで穴７を切り抜く。次に、図５（ｂ）に示すように、設置するゴルフ場用表示具１の表示体３が穴７の外部に露出するような高さとなるまで、あるいは、リブ１１が十分に埋め込まれる高さとなるまで、砂９を充填する。
【００３０】
最後に、表示具本体５のリブ１１を砂７内に埋め込み、表示具本体５の側壁５ｂと、穴７の内周面７ｂとを当接させることで、ゴルフ場用表示具１を地面１３に固定する。
【００３１】
なお、上記設置方法では、穴７内に充填部材を充填し、ゴルフ場用表示具を砂９に係合する構成としたが、表示体３が穴７の外側に出た状態でゴルフ場用表示具を固定的に設置できる構成であれば、その他の係合手段を用いてもよいことは言うまでもない。なお、上記設置方法は、後述する他の実施形態でも同様に適用できる。
【００３２】
［第２実施形態］
以下に、第２実施形態のゴルフ場用表示具１０１について図６を用いて説明する。図６は、第２実施形態に係るゴルフ場用表示具１０１が穴７に配置された状態を示す斜視図である。
【００３３】
第２実施形態のゴルフ場用表示具１０１の表示体１０３は、第１実施形態と異なり、円柱状の支柱１２１と、支柱１２１に固定される標識板１２３と、を備える。支柱１２１の一端部は、第１実施形態と同様に構成された表示具本体１０５の上面１０５ａの中心に固定され、他端部には、前記の標識板１２３が装着されている。図中の参照符号１０５ｂは、表示具本体１０５の側壁を示す。
【００３４】
標識板１２３の表面には、例えば、グリーンまでの残りの距離が２００ヤードであることを示す文字「２００ｙ」が記載もしくは刻印等されている。このゴルフ場用表示具１０１のその他の構成及びその効果、さらに、設置方法は、実施形態１と同様であるので詳細は割愛する。
【００３５】
［第３実施形態］
次に、第３実施形態のゴルフ場用表示具１０１について図７を用いて説明する。図７は、第３実施形態に係るゴルフ場用表示具２０１が穴７に配置された状態を示す斜視図である。
【００３６】
第３実施形態のゴルフ場用表示具２０１の表示具本体２０５は、第１実施形態と異なり、その上面２０５ａが傾斜しており、略有天円筒状の表示具本体２０５の軸方向に対して傾斜する角度を有して上面２０５ａが延在している。このような構成とすることにより、上面２０５ａをゴルフコースの中央に向けて設置することにより、ゴルフ場の利用者が表示体２０３の示す文字「２００ｙ」をより容易かつ確実に視認することができる。図中の参照符号２０５ｂは、表示具本体２０５の側壁を示す。
【００３７】
このゴルフ場用表示具２０１のその他の構成及びその効果、さらに、設置方法は、実施形態１と同様であるので詳細は割愛する。
【００３８】
［第４実施形態］
以下に、第４実施形態のゴルフ場用表示具３０１について図８を用いて説明する。図８は、第４実施形態に係るゴルフ場用表示具３０１の斜視図である。図６及び図７は、ゴルフ場用表示具を上側から見た斜視図であったが、図８は、ゴルフ場用表示具３０１の底部側から見た斜視図である。
【００３９】
第４実施形態のゴルフ場用表示具３０１の表示具本体３０５は、第４実施形態と異なり、上面３０５ａの外周縁（上面３０５ａと側壁３０５ｂとの境界部）に連続するフランジ部３３１を備える。換言すると、フランジ３３１の外形寸法である外形は、穴７（図６、図７の参照符号７を参照）の内形寸法である内径より大きい寸法関係である。
【００４０】
上記構成のゴルフ場用表示具３０１を穴（図２、図６、図７等の参照符号７を参照）に設置する場合には、フランジ部３３１が地面１３に接することとなる。この構成を採用することにより、表示体を配置できる面積を大きくとることができ、前述した第１実施形態乃至第３実施形態と比較して、より多くの情報又はより大きい文字による情報を示すことが可能なゴルフ場用表示具３０１を実現することができる。なお、図８には、表わされていないが、前述した第１実施形態や第３実施形態と同様、上面３０５ａに表示体が形成されている。
【００４１】
このゴルフ場用表示具３０１のその他の構成及びその効果、さらに、設置方法は、実施形態１と同様であるので詳細は割愛する。
【００４２】
上述した第１実施形態乃至第４実施形態では、略円筒状の表示具本体について説明したが、本考案は当該構成に限定されるものではなく、ゴルフホールを形成するホールカッターにより開けられた穴の内周面に当接可能な側壁を有するものであれば、種々の形状とできることは言うまでもない。また、表示体で示される文字、記号等からなる情報は、上記実施形態の構成に限らず、ＬＥＤ、液晶、電球等からなる電光掲示が可能な構成としてもよい。また、上記の各実施形態においては、主としてグリーンまでの残りの距離を表示するものを例にとって説明したが、この他にも例えば、ティーグラウンドからの距離を表示するものや、ゴルフ練習場における飛距離を表示するもの等であってもよく、表示内容は特に限定されるものではない。
【００４３】
この考案は、その本質的特性から逸脱することなく数多くの形式のものとして具体化することができる。よって、上述した実施形態は専ら説明上のものであり、本考案を制限するものではないことは言うまでもない。
【図面の簡単な説明】
【００４４】
【図１】第１実施形態に係るゴルフ場用表示具１の斜視図である。
【図２】図１のゴルフ場用表示具がゴルフ場の地面に配置された状態を示す図である。
【図３】図１のゴルフ場用表示具の底面図である。
【図４】図３の線ＩＶ−ＩＶに沿った断面図である。
【図５】（ａ）〜（ｃ）は、ゴルフ場用表示具の設置作業の工程を示す部分断面図である。
【図６】第２実施形態に係るゴルフ場用表示具が穴に配置された状態を示す斜視図である。
【図７】第３実施形態に係るゴルフ場用表示具が穴に配置された状態を示す斜視図である。
【図８】第４実施形態に係るゴルフ場用表示具の底面側から見た斜視図である。
【図９】従来の距離表示標識の一例を示す斜視図である。
【符号の説明】
【００４５】
１、１０１、２０１、３０１            ゴルフ場用表示具
３、１０３、２０３                    表示体（表示手段）
５、１０５、２０５、３０５            表示具本体
５ａ、１０５ａ、２０５ａ、３０５ａ    上面
５ｂ、１０５ｂ、２０５ｂ、３０５ｂ    側壁（係止部、第１係止部）
７                                    穴
９                                    砂（充填部材）
１１、１１１、２１１、３１１          リブ（係止部、第２係止部）
１３                                  地面
１５                                  ホールカッター（治具）
【図１】
0003144400.tif 000003
【図２】
0003144400.tif 000004
【図３】
0003144400.tif 000005
【図４】
0003144400.tif 000006
【図５】
0003144400.tif 000007
【図６】
0003144400.tif 000008
【図７】
0003144400.tif 000009
【図８】
0003144400.tif 000010
【図９】
0003144400.tif 000011